(57)【特許請求の範囲】
【請求項１】
枠体に建具体を取り付けた建具であって、
前記建具体の下框に外れ止め部品を取り付け、前記枠体の下枠に外れ止め部を設けて建具体の外れ止めとし、
前記外れ止め部品は、下框の室内側面に取り付けられ、前記外れ止め部と干渉することで下框の上方への移動を阻止し、かつ前記外れ止め部と見込み方向に離れる方向に弾性変形可能な係止部を備えたかかり部品と、該かかり部品にロック位置とロック解除位置とに亘って面内方向に移動自在に設けた操作部品を有し、
前記操作部品がロック位置のときには、当該操作部品が係止部の室外側に位置して係止部の弾性変形を規制し、ロック解除位置のときには、当該操作部品が係止部の室外側から退避して係止部の弾性変形、または室外側への移動を許容するようにしたことを特徴とする建具。
【請求項２】
前記操作部材に規制部を、当該操作部材がロック位置のときに下枠に当接することで、前記下框の見込み方向室外側への移動を規制するように設けた請求項１記載の建具。
【請求項３】
前記下枠は、上方に突出すると共に、前記建具体の下端をガイドする建具体下ガイド部を有し、この建具体下ガイド部と見込み方向室内側に離隔して相対向した縦面を有し、
前記縦面に外れ止め部を、前記建具体下ガイド部に向けて突出して設け、該外れ止め部の下面を係止受部とし、
前記かかり部品は、建具体を枠体に取り付けた状態では、前記係止部が前記係止受部よりも下方に位置し、かつ建具体を枠体に取り付ける際には係止部が外れ止め部に接することで係止受部よりも見込み方向室外側に弾性変形するようにした請求項１又は２記載の建具。
【請求項４】
前記かかり部品は下框に、その見込み方向室内側面との間に隙間を有して取り付けられ、
前記操作部品は、前記隙間に上方のロック解除位置と下方のロック位置とに亘って上下方向に移動自在に設けられ、
前記かかり部品と操作部品とに亘って、操作部品をロック位置で保持する係止手段を設けた請求項１又は２又は３記載の建具。
【発明の詳細な説明】
【技術分野】
【０００１】
本発明は、枠体に建具体を取り付けた建具に関する。
【背景技術】
【０００２】
従来、枠体に建具体を、その上枠と下枠の長手方向に移動可能に取り付けた建具が種々提案されている。
例えば、特許文献１に開示したように、枠体に建具体である内障子と外障子を、その上枠、下枠の長手方向に移動自在に取り付けると共に、前記枠体の外障子よりも室外側寄りに建具体である網戸を、上枠、下枠の長手方向に移動自在に取り付けた引き違いタイプの建具が提案されている。
このような建具にあっては、建具体、例えば網戸が外れる恐れがあるので、枠体の下枠と網戸の網戸下框とに亘って外れ止め装置を設けている。
例えば、枠体の下枠に突条部を設け、網戸下框に外れ止め片を取り付け、この外れ止め片が突条部に干渉することで網戸が外れることを防止している。
【先行技術文献】
【特許文献】
【０００３】
【特許文献１】実公昭５８−３８８７６号公報
【発明の概要】
【発明が解決しようとする課題】
【０００４】
前述した従来の建具においては、外れ止め片を網戸下框に上下移動可能にビス部材で取り付け、網戸を取り付ける場合には、ビス部材を弛めて外れ止め片を下方に移動し、突条部と網戸下レールとの間から外れ止め片の係止部を突条部よりも下方まで移動し、網戸下框を室内側に動かして網戸下レールに接し、この後に外れ止めを上下に移動して位置調節する。
この後に、ビス部材を締め付けて外れ止めを固定して網戸を取り付けているので、その網戸の取り付け作業が面倒である。
しかも、ビス部材を弛め、締め付けるドライバー等の工具を使用するので、建物の２階以上の階に取り付ける建具の場合には、工具を落下する恐れがある。
【０００５】
前述した従来の建具においては、前述の不具合を解消するために、突条部に切欠部を形成し、外れ止め片の係止部を切欠部から下に移動するようにして網戸を取り付けることが開示されている。
しかし、このようにすると、網戸を取り付けるときには外れ止め片の係止部を切欠部に位置合わせし、その係止部が切欠部を通るように注意深く網戸を下方に移動しなければならず、網戸の取り付けが面倒である。
しかも、網戸の取り付け位置が切欠部によって限定されてしまう。
【０００６】
本発明の目的は、建具体を簡単に取り付けできると共に、その建具体の取り付け位置が限定されることがなく、任意の位置で取り付けでき、しかも建具体を取り付けた状態では、建具体が外れることがないようにできる建具とすることである。
【課題を解決するための手段】
【０００７】
本発明は、枠体に建具体を取り付けた建具であって、前記建具体の下框に外れ止め部品を取り付け、前記枠体の下枠に外れ止め部を設けて建具体の外れ止めとし、前記外れ止め部品は、下框の室内側面に取り付けられ、前記外れ止め部と干渉することで下框の上方への移動を阻止し、かつ前記外れ止め部と見込み方向に離れる方向に弾性変形可能な係止部を備えたかかり部品と、該かかり部品にロック位置とロック解除位置とに亘って面内方向に移動自在に設けた操作部品を有し、前記操作部品がロック位置のときには、当該操作部品が係止部の室外側に位置して係止部の弾性変形を規制し、ロック解除位置のときには、当該操作部品が係止部の室外側から退避して係止部の弾性変形、または室外側への移動を許容するようにしたことを特徴とする建具である。
【０００８】
本発明は、前記操作部材に規制部を、当該操作部材がロック位置のときに下枠に当接することで、前記下框の見込み方向室外側への移動を規制するように設けた建具とすることができる。
このようにすれば、建具体が下枠に対して見込み方向室外側に移動することを規制できるため、係止部が外れ止め部と見込み方向に離隔することを抑制でき、障子が外れることがない。
【０００９】
本発明は、前記下枠は、上方に突出すると共に、前記建具体の下端をガイドする建具体下ガイド部を有し、この建具体下ガイド部と見込み方向室内側に離隔して相対向した縦面を有し、前記縦面に外れ止め部を、前記建具体下ガイド部に向けて突出して設け、該外れ止め部の下面を係止受部とし、前記かかり部品は、建具体を枠体に取り付けた状態では、前記係止部が前記係止受部よりも下方に位置し、かつ建具体を枠体に取り付ける際には係止部が外れ止め部に接することで係止受部よりも見込み方向室外側に弾性変形するようにした建具とすることができる。
このようにすれば、かかり部品の係止部が係止受面に干渉することで建具体の外れを防止できる。
建具体取付時にはかかり部品の係止部を外れ止め部に接するようにして建具体下ガイド部に落とし込むことで取り付け、その取り付けが容易である。
【００１０】
本発明は、前記かかり部品は下框に、その見込み方向室内側面との間に隙間を有して取り付けられ、前記操作部品は、前記隙間に上方のロック解除位置と下方のロック位置とに亘って上下方向に移動自在に設けられ、前記かかり部品と操作部品とに亘って、操作部品をロック位置で保持する係止手段を設けた建具とすることができる。
このようにすれば、操作部品は目立つことがなく、外れ止め部品の見栄えが良い。
また、操作部品は上下に移動するので、その移動操作がやり易い。
しかも、操作部品はロック位置で保持されるから、振動などでロック解除位置に向けて移動することがなく、確実に建具体が外れないようにできる。
【発明の効果】
【００１１】
本発明によれば、操作部品をロック解除位置に移動し、係止部を外れ止め部と見込み方向に離隔するように弾性変形、または室外側への移動することで、建具体を取り付けできるから、建具体を簡単に取り付けできると共に、その建具体の取り付け位置が限定されずに任意の位置で取り付けできる。
建具体を取り付けた状態では、操作部材をロック位置に移動することで、建具体が外れることがないようにできる。
【図面の簡単な説明】
【００１２】
【図１】本発明の実施の形態を示す建具体の外観図である。
【図２】図１のＡ−Ａ拡大詳細断面図である。
【図３】網戸の取り付け動作説明図である。
【図４】外れ止め部品を分解した表面視斜視図である。
【図５】外れ止め部品を分解した裏面視斜視図である。
【図６】外れ止め部品の裏面図である。
【図７】図６のＢ−Ｂ断面図である。
【図８】下框の外れ止め部品の取付部分の斜視図である。
【図９】下框に外れ止め部品を取り付けた状態の裏面図である。
【発明を実施するための形態】
【００１３】
図１に示すように、枠体１に建具体としての障子２を装着して建具としてある。
枠体１は上枠１０と下枠１１と左右の縦枠１２を方形状に連結してある。
上枠１０の見込み方向室外側部には建具体上ガイド部としての網戸上ガイド部、例えば下向きの網戸上レール１０ａを有している。
下枠１１の見込み方向室外側部には建具体下ガイド部としての網戸下ガイド部、例えば上向きの網戸下レール１１ａを有している。
障子２は、内障子２ａと外障子２ｂを備え、その内障子２ａ、外障子２ｂが枠体１の見付け方向に移動自在で、引き違いタイプの建具としてある。
前述の説明で、見込み方向とは室内外側方向に向かう方向で、上枠１０、下枠１１の長手方向と直角な方向である。
また、見付け方向とは上枠１０、下枠１１の長手方向に向かう方向である。
【００１４】
枠体１の見込み方向室外側寄りに建具体としての網戸３が見付け方向に移動自在に取り付けてある。
網戸３は、上框３０と下框３１と左右の縦框３２を方形状に連結した框体に防虫網３３を張設してある。
上框３０が網戸上レール１０ａに沿って見付け方向に移動自在にガイドされる。例えば、上框３０を、上面に開口したガイド凹溝を長手方向に連続して有する形状とし、そのガイド凹溝内に網戸上レール１０ａが摺動自在に嵌まり合うようにする。
下框３１が網戸下レール１１ａに沿って見付け方向に移動自在にガイドされる。例えば、下框３１に戸車３４を取り付け、その戸車３４を網戸下レール１１ａに沿って回転自在とする。
【００１５】
図２に示すように、下框３１に取り付けた外れ止め部品４と、下枠１１に設けた外れ止め部５とで、枠体１に取り付けた網戸３が外れないようにする建具体外れ止めとしての網戸外れ止めとしてある。
外れ止め部品４は図１に示すように下框３１の長手方向中間に取り付けてある。なお、外れ止め部品４は複数取り付けても良い。また、取付位置は長手方向中間に限らず、長手方向端部側につけても良く、長手方向中間、長手方向端部側の両方に付けても良い。
外れ止め部５は下枠１１の長手方向全長に設けてある。図２では外れ止め部５は下枠１１と一体としてあるが、下枠１１とは別体とし、ビス、カシメなどの固着手段で外れ止め部５を下枠１１に取り付けても良い。
【００１６】
外れ止め部品４は、下框３１の見込み方向室内側面３１ａに取り付けたかかり部品４０と、このかかり部品４０と下框３１の見込み方向室内側面３１ａとの間の隙間に、ロック位置とロック解除位置とに亘って手動により面内方向に移動自在に設けた操作部品５０を備えている。なお、面内方向とは、網戸３の表面に沿った方向である。
このようであるから、操作部品５０はかかり部品４０で覆われ目立つことがなく、外れ止め部品４の見栄えが良い。
かかり部品４０は係止部４０ａを有し、その係止部４０ａはかかり部品４０の見込み方向室内側面よりも見込み方向室内側に突出している。
【００１７】
外れ止め部５は、下枠１１の網戸下レール１１ａと対向した縦面１１ｂよりも見込み方向室外側である網戸下レール１１ａ側に突出し、下向きの係止受部５ａと縦向きの先端部５ｂと上向きの上部５ｃを有している。
網戸３を取り付けた状態では、係止部４０ａが外れ止め部５（係止受部５ａ）よりも下方に位置し、その係止部４０ａと係止受部５ａは上下方向に相対向する。
【００１８】
操作部品５０を図２に示すようにかかり部品４０と下框３１の見込み方向室内側面３１ａとの間の隙間に、下まで挿入してロック位置とすると、かかり部品４０の係止部４０ａは外力が負荷しても見込み方向室外側に向かう方向（つまり、係止受部５ａと見込み方向に離れる方向）への弾性変形は規制される。
これによって、図２に示す状態で網戸３に上向きの力が負荷した場合に、係止部４０ａが外れ止め部５（係止受部５ａ）に干渉するので、網戸３が外れることがない。
つまり、図２に示す外れ止め部品４は、その操作部品５０は上方のロック解除位置と下方のロック位置とに亘って上下方向（面内方向）に移動し、ロック位置のときには係止部４０ａの弾性変形を規制し、ロック解除位置のときには係止部４０ａの弾性変形を許容する。
【００１９】
操作部品５０を上方に移動して図３に示すロック解除位置とすると、かかり部品４０の係止部４０ａは外力が負荷することで見込み方向室外側に向かう方向に弾性変形可能となる。
これによって、図３に示す状態から網戸３を下方に移動して網戸下レール１１ａに接するように落とし込んで下枠１１に取り付ける際に、係止部４０ａが下枠１１の外れ止め部５（上部５ｃ）に接して係止部４０ａに見込み方向室外側に向かう外力が負荷し、その係止部４０ａは見込み方向室外側に向かう方向に弾性変形するので、外れ止め部５（先端部５ｂ）に沿って下方に移動できる。
【００２０】
そして、戸車３４を網戸下レール１１ａに接して図２に示すように網戸３を取り付けすると、係止部４０ａが外れ止め部５よりも下方にして元の状態に弾性復帰する。
この状態で、操作部品５０を押し下げて図２に示すロック位置とすることで、前述のように網戸３が外れないようにできる。
【００２１】
前述したように、操作部品５０をロック解除位置に移動し、網戸３を下方に移動して落とし込みするだけで網戸３を取り付けできるので、網戸３を簡単に取り付けできると共に、その網戸３の取付位置が限定されることがない。
また、網戸３を取り付けた状態で操作部品５０をロック位置に移動することで、網戸３が外れることがないようにできる。
しかも、操作部品５０をロック位置、ロック解除位置に移動するのは手動で可能で、工具を使用する必要がない。
【００２２】
網戸３を取り付けた状態で、かかり部品４０の係止部４０ａと外れ止め部５の係止受部５ａとの間には、上下方向のクリアランス（隙間）がある。
このクリアランスは、戸車３４を上下に移動して網戸３の建付け調整する際の網戸３の上がり代より大きく、網戸３の建付け調整したときにかかり部品４０を上下に移動する必要はない。
【００２３】
図２に示すように、操作部品５０は見込み方向室外側に突出した規制部５０ａを有している。操作部品５０がロック位置のときに、規制部５０ａが下枠１１、例えば網戸下レール１１ａと対向する。
このようであるから、網戸３を取り付けた状態で下框３１が見込み方向室外側に向けて動くことを規制部５０ａが網戸下レール１１ａと当接することで規制し、網戸３が外れないようにできる。
つまり、規制部５０ａがなければ下框３１が見込み方向室外側に動いて係止部４０ａが外れ止め部５よりも見込み方向室外側寄りに移動し、係止部４０ａが外れ止め部５と干渉しなくなるので、網戸３が外れることがある。
【００２４】
前述した下枠１１の縦面１１ｂは、下枠１１の見込み方向室外側部に設けた網戸下レール１１ａと見込み方向室外側寄り上面１１ｃで連続し、この見込み方向室外側寄り上面１１ｃと網戸下レール１１ａと縦面１１ｂで網戸取付用の凹陥部１３を形成している。
網戸３を取り付けるときに、この凹陥部１３に下框３１と外れ止め部品４を落とし込むことで、係止部４０ａを外れ止め部５（係止受部５ａ）よりも下方に位置させることが可能である。
縦面１１ｂの上部に外れ止め部５が一体に設けてある。この外れ止め部５は、縦面１１ｂと連続し、見込み方向室外側に向けて突出した下面（係止受部５ａ）と、この下面の見込み方向室外側端と連続した縦面（先端部５ｂ）と、この縦面の上端と連続した見込み方向室内側に向かう上面（上部５ｃ）でコ字形状となっている。
この上面と連続した下枠１１の上面１１ｄには、外・内障子ガイド部、例えば外ガイドレール１５と内ガイドレール１６が設けてある。外ガイドレール１５に沿って外障子２ｂ、内ガイドレール１６に沿って内障子２ａが移動自在に設けてある。
【００２５】
外れ止め部５は前述のものに限ることはない。例えば、縦面１１ｂの上下方向の一部分に突起部又は突片を見込み方向室外側に向けて突出して設けたものでも良く、その場合には突起部又は突片の見込み方向室外側面が先端面５ｂで、突起部又は突片の下面が係止受部５ａとなる。
【００２６】
下框３１は、見込み方向室外側縦板３５と見込み方向室内側縦板３６と連結板３７で下向きコ字形状の凹部３８を有し、その連結板３７に設けた鉤片３９に防虫網３３が押えゴム３３ａで取り付けてある。
下框３１の凹部３８内に戸車３４が取り付けてある。
網戸３は、その下框３１に取り付けた戸車３４が網戸下レール１１ａに接し、見込み方向室外側縦板３５が網戸下レール１１ａよりも見込み方向室外側寄りで、見込み方向室内側縦板３６が網戸取付用の凹陥部１３内に位置するように取り付けてある。
【００２７】
図４と図５に示すように、かかり部品４０は、表面板４１と、この表面板４１の幅方向両側縁に背面（見込み方向室外側）に向けて設けた側面突片４２で平面ほぼコ字形状で、その表面板４１の下部に複数の突起４３が幅方向に間隔を置いて設けてあり、この突起４３が前述した係止部４０ａである。
表面板４１の下部寄り幅方向両側にはスリット４１ａが下端面まで形成され、表面板４１の下部寄りが弾性変形し易くなっているので、突起４３（係止部４０ａ）が弾性変形し易い。
また、突起４３（係止部４０ａ）は、見込み方向室内側へ近づくにつれて漸次上方に傾斜する傾斜面を有しており、網戸３を取り付ける際に、この傾斜面が外れ止め部５（上部５ｃ）に摺接することで、傾斜面がガイドとなって係止部４０ａが見込み方向室外側にスムーズに弾性変形し易くなっている。
表面板４１の上部寄りには係合受部、例えば係合穴４４が形成されている。
表面板４１の背面上下中間には一対の取付片４５が幅方向に間隔を置いて有している。この取付片４５は、縦向片４５ａと、この縦向片４５ａに上下方向に間隔を置いて設けた一対の横向片４５ｂを備え、その横向片４５ｂが表面板４１の背面と対向している。
各側面突片４２の上部寄りには位置決め用突部４６がそれぞれ設けてある。
【００２８】
図４と図５に示すように、操作部品５０は、かかり部品４０の表面板４１の背面に、その一対の位置決め用突部４６に沿って上下動自在に設けられる板状で、その操作部品５０の上部寄り表面に係合部、例えば係合突部５１が設けてあると共に、下部寄り裏面に突起５２が設けてあり、この突起５２が前記規制部５０ａである。
この突起５２は幅広い横向片５２ａと幅狭い縦向片５２ｂでほぼＴ字形状である。
操作部品５０の上部寄りには幅方向一対のスリット５３が上端面まで形成され、操作部品５０の上部寄りを中央部５４、一側部５５、他側部５６に幅方向に区分し、その中央部５４に係合突部５１を設けて係合突部５１を背面側に向けて弾性変形し易くしてある。
中央部５４の上部には背面側に向けて押し易いように操作部５７が設けてある。
一側部５５、他側部５６には、その一側部５５、他側部５６を片手で持って上方に移動し易いように操作部５８が設けてある。
【００２９】
図６と図７に示すように、かかり部品４０の背面に操作部品５０が上下動自在に設けられ、操作部品５０の背面５０ｂは、かかり部品４０の側面突起４２の端面４２ａよりも表面寄り（見込み方向室内側寄り）である。
操作部品５０を下方に移動して前述のロック位置にすると、係合突部５１が係合穴４４に係合して操作部品５０をロック位置で保持する。つまり、係合突部５１と係合穴４４で操作部品５０をロック位置で保持する係止手段としてある。
このとき、操作部５７，５８はかかり部品４０よりも上方に突出している。
このようであるから、振動などで操作部品５０がロック解除位置に向けて移動することがなく、確実に網戸３が外れないようにできる。
【００３０】
操作部品５０をロック位置からロック解除位置に移動するときには、操作部品５０の操作部５７を手の指で押して中央部５４を変形して係合突部５１を係合穴４４から離脱し、そのままの状態を保持して手の残りの指で一対の操作部５８を持って操作部品５０を上方に移動する。
【００３１】
このようであるから、工具を使用せずに手動によってロック位置の操作部品５０をロック解除位置に移動できる。
しかも、片手で係合突部５１を係合穴４４から離脱して上方に移動でき、操作部品５０を簡単に移動できる。
【００３２】
図８に示すように、下框３１の見込み方向室内側縦板３６には、一対の取付用穴６０，６０が長手方向に間隔を置いて形成されていると共に、この一対の取付用穴６０，６０間に補助穴７０が形成されている。
取付用穴６０は、かかり部品４０の取付片４５の縦向片４５ａが挿通し、かつ縦向片４５ａよりも長いスリット状の縦穴６１と、この縦穴６１と連続し、取付片４５の一対の横向片４５ｂが挿通する一対の矩形状穴６２，６２を有している。
補助穴７０は、突起５２の横向片５２ａが挿通する幅広の第１穴７１と、この第１穴７１から縦板３６の下端面まで連続した突起５２の縦向片５２ｂが挿通する幅狭の第２穴７２でＴ字形状となっている。
【００３３】
外れ止め部品４を下框３１に取り付ける場合には、図８に示すように操作部品５０をかかり部品４０に設けると共に、突起５２の横向片５２ａが補助穴７０の第１穴７１に合致するように操作部品５０を上下方向に位置決めする。
前述の状態で、外れ止め部品４を上下、左右に動かして一対の取付片４５の縦向片４５ａ、横向片４５ｂを一対の取付用穴６０の縦穴６１、矩形状穴６２に合致すると共に、突起５２の横向片５２ａを補助穴７０の第１穴７１に合致し、外れ止め部品４を縦戸下框３１に向けて見込み方向室外側に移動して取付片４５を取付用穴６０に挿入すると共に、突起５２を補助穴７０に挿入することでかかり部品４０の一対の側面突片４２の端面４２ａを下框３１の見込み方向室内側縦板３６に当接し、表面板４１と縦板３６との間に前述の隙間を形成する。
【００３４】
外れ止め部品４を下方に移動して図９に示すように、取付片４５の横向片４５ｂを矩形状穴６２と上下方向に離隔し、横向片４５ｂを見込み方向室内側縦板３６の裏面に接することで側面突片４２と横向片４５ｂで縦板３６を挟持し、かかり部品４０が見込み方向室内側に動かないようにする。
このとき、位置決め用突部４６が矩形状穴６２に嵌まり込み、かかり部品４０を上下方向に位置決めすると共に、かかり部品４０が上下に移動しないようにする。
また、突起５２の横向片５２ａが縦板３６の裏面に接し、操作部品５０が見込み方向室内側に動かないようにする。
操作部品５０をロック位置とロック解除位置とに亘って移動するときには、突起５２の縦向片５２ｂが補助穴７０の第２穴７２に沿って上下に移動する。
【００３５】
かかり部品４０の下框３１への取り付け、操作部品５０の取り付けは前述に限ることはない。例えば、かかり部品４０を下框３１にビス止めし、そのかかり部品４０にガイドを設け、そのガイドに沿って操作部品５０を上下移動に取り付ける。
前記操作部品５０の移動方向は上下方向に限ることはなく、左右方向（下框３１の長手方向）に移動自在としても良い。
例えば、前述した外れ止め部品４を横向きに取り付ける。この場合には係止部４０ａの形状を９０度変更する。
つまり、面内方向の移動であれば良く、その他にも、左右方向に移動した後に上下方向に移動する等、面内方向で二方向以上に連続して移動する構成でも良い。
また、少なくとも面内方向に移動できれば良いのであって、面外方向等の面内方向以外の移動の後に面内方向に移動する構成でも良い。例えば、見込み方向に移動した後、面内方向に移動する構成でも良い。
また、ロック解除位置のときに、操作部品５０を係止部４０ａの室外側から退避させて係止部４０ａの弾性変形を許容することで、枠体１に対して網戸３を着脱可能にしたが、これに限らず、操作部品５０を係止部４０ａの室外側から退避させて係止部４０ａの室外側への移動を許容することで、係止部４０ａを外れ止め部５（係止受部５ａ）と対向しない位置まで室外側に移動した後、網戸３を上方に移動させることで枠体１に対して網戸３を着脱可能としても良い。この際、係止部４０ａの弾性変形は必ずしも必要ではなくなるため、弾性変形しない係止部４０ａとしても良い。
建具体として網戸３について説明したがこれに限ることはなく、内障子２ａや外障子２ｂなどのガラスを有した障子を建具体とし、その建具体に取り付けても良く、またその他の障子を建具体とし、その建具体に取り付けても良い。
【符号の説明】
【００３６】
１…枠体、３…網戸、４…外れ止め部品、５…外れ止め部、５ａ…係止受部、１１…下枠、１１ａ…網戸下レール（建具体下ガイド部）、１１ｂ…縦面、１３…凹陥部、３１…下框、３１ａ…見込み方向室内側面、４０…かかり部品、４０ａ…係止部、５０…操作部品、５０ａ…規制部。
【図１】
0005394348.tif 000002
【図２】
0005394348.tif 000003
【図３】
0005394348.tif 000004
【図４】
0005394348.tif 000005
【図５】
0005394348.tif 000006
【図６】
0005394348.tif 000007
【図７】
0005394348.tif 000008
【図８】
0005394348.tif 000009
【図９】
0005394348.tif 000010